(57)【要約】    【課題】  見た目がお洒落で、しかも、必要情報を１冊子にまとめて記載できるコンパクトな結婚式用席次表を提供することを目的とする。    【解決手段】  披露宴プログラム、席次表、披露宴メニューが記載された矩形状の内紙２と、前記内紙２の縦向辺2a長さの略１／２の縦向辺3a長さを有する表紙３とを横向辺中央部で結合し、前記内紙２の縦向辺2aを二つ折りにした後、全体を横向辺中央部で二つ折りにして結婚式用席次表１を製作する。また、前記内紙２の縦向辺2aを二つ折りにした後の下部横向辺2bと上部横向辺2eとを一致させずに所定の間隔を設けてもよい。    【選択図】      図１
0003102977.tif 000002
【実用新案登録請求の範囲】
【請求項１】
少なくとも結婚式の披露宴プログラム、席次表、披露宴メニューが記載された結婚式用席次表であって、披露宴プログラム、席次表、披露宴メニューが記載された矩形状の内紙と、前記内紙の縦向辺長さの略１／２の縦向辺長さを有する表紙とを横向辺中央部で結合し、前記内紙の縦向辺を二つ折りにした後、全体を横向辺中央部で二つ折りにしたことを特徴とする結婚式用席次表。
【請求項２】
前記内紙と前記表紙との下部横向辺を一致させて横向辺中央部で結合し、前記表紙の上部横向辺と一致させて前記内紙の縦向辺を二つ折りにしたことを特徴とする請求項１記載の結婚式用席次表。
【請求項３】
前記内紙の縦向辺を二つ折りにした後の下部横向辺と上部横向辺との間に所定の間隔を設けたことを特徴とする請求項１または請求項２記載の結婚式用席次表。
【請求項４】
前記内紙と前記表紙との間に、前記表紙とほぼ同一サイズを有する第２の内紙を挿入して結合したことを特徴とする請求項１乃至請求項３のいずれか１項に記載の結婚式用席次表。
【請求項５】
前記表紙に窓部となる穴を設け、前記窓部から絵柄が現出するようにしたことを特徴とする請求項１乃至請求項４のいずれか１項に記載の結婚式用席次表。
【請求項６】
前記表紙と前記内紙との横向辺中央部での結合を接着または結合金具により行うことを特徴とする請求項１乃至請求項５のいずれか１項に記載の結婚式用席次表。
【考案の詳細な説明】
【技術分野】
【０００１】
本考案は、結婚式の披露宴の出席者に配布される結婚式用席次表に関する。
【背景技術】
【０００２】
従来、結婚式の披露宴の出席者には、披露宴プログラム、席次表、披露宴メニュー等の内容を記載した印刷紙が別葉として配布されることが多かった。例えば実願２００３−２７１８９１号では、披露宴メニューとして図７に示すように、矩形状の印刷紙50に披露宴のメニュー51を印刷した後、折り目 52に沿って三つ折り又は四つ折りにして配布するものが開示されている。
【考案の開示】
【考案が解決しようとする課題】
【０００３】
しかし、従来の結婚式用印刷物は、披露宴プログラム、席次表、披露宴メニューを各別の紙に印刷していたことから、その取扱いが煩雑であった。また、印刷紙を折り畳んだ後の大きさが大きく取扱いに不便であった。さらに、デザイン的にも平凡なものが多く、質感にも欠けることから高級感を出すことが困難であった。
【０００４】
そこで、本考案はかかる事情に鑑みてなされたものであり、折り畳んだ後の大きさがコンパクトで、披露宴プログラム、席次表、披露宴メニュー等の結婚式に必要な情報を１冊子にまとめて記載できる結婚式用席次表を提供することを目的とする。また、本考案の第２の目的は、質感豊かで、見た目にお洒落な結婚式用席次表を提供することである。
【課題を解決するための手段】
【０００５】
請求項１記載の結婚式用席次表は、少なくとも結婚式の披露宴プログラム、席次表、披露宴メニューが記載された結婚式用席次表であって、披露宴プログラム、席次表、披露宴メニューが記載された矩形状の内紙と、前記内紙の縦向辺長さの略１／２の縦向辺長さを有する表紙とを横向辺中央部で結合し、前記内紙の縦向辺を二つ折りにした後、全体を横向辺中央部で二つ折りにしたものである。
【０００６】
請求項２記載の結婚式用席次表は、請求項１記載の結婚式用席次表において、前記内紙と前記表紙との下部横向辺を一致させて横向辺中央部で結合し、前記表紙の上部横向辺と一致させて前記内紙の縦向辺を二つ折りにしたものである。
【０００７】
請求項３記載の結婚式用席次表は、請求項１または請求項２記載の結婚式用席次表において、前記内紙の縦向辺を二つ折りにした後の下部横向辺と上部横向辺との間に所定の間隔を設けたものである。
【０００８】
請求項４記載の結婚式用席次表は、請求項１乃至請求項３のいずれか１項に記載の結婚式用席次表において、前記内紙と前記表紙との間に、前記表紙とほぼ同一サイズを有する第２の内紙を挿入して結合したものである。
【０００９】
請求項５記載の結婚式用席次表は、請求項１乃至請求項４のいずれか１項に記載の結婚式用席次表において、前記表紙に窓部となる穴を設け、前記窓部から絵柄が現出するようにしたものである。
【００１０】
請求項６記載の結婚式用席次表は、請求項１乃至請求項５のいずれか１項に記載の結婚式用席次表において、前記表紙と前記内紙との横向辺中央部での結合を接着または結合金具により行うものである。
【考案の効果】
【００１１】
本考案の請求項１記載の結婚式用席次表によれば、披露宴プログラム、席次表、披露宴メニュー等の結婚式に必要な情報を１冊子にまとめて記載できるコンパクトな結婚式用席次表を実現できる。
【００１２】
本考案の請求項２記載の結婚式用席次表によれば、表紙の上部横向辺と内紙の二つ折り後の上部横向辺とが一致することから、見栄えのよい結婚式用席次表を実現できる。
【００１３】
本考案の請求項３記載の結婚式用席次表によれば、内紙を二つ折りにした後の上部横向辺と下部横向辺が一致していないことからデザイン的に優れている上、折り畳んだ席次表を開く際にも容易に開くことができるようになる。
【００１４】
本考案の請求項４記載の結婚式用席次表によれば、情報記載紙面が増加するので、新郎新婦のプロフィールや新居の案内等の追加情報も記載できる質感に富んだ結婚式用席次表を実現することができる。
【００１５】
本考案の請求項５記載の結婚式用席次表によれば、表紙に設けた窓部から結婚式会場の全景写真等を現わすことができるので、立体感に溢れ、見た目にお洒落な結婚式用席次表を実現することができる。
【００１６】
本考案の請求項６記載の結婚式用席次表によれば、必要に応じて表紙と内紙の結合方式を選択できるので、適正な価格で結婚式用席次表を提供することができる。
【考案を実施するための最良の形態】
【００１７】
以下、図面を参照して本考案の好適な実施形態について説明する。
【００１８】
図１は、本考案に係る結婚式用席次表１を開いた状態を示す正面図である。この結婚式用席次表１は、少なくとも結婚式の披露宴プログラム、席次表、披露宴メニューが記載された矩形状の内紙２と、前記内紙２の縦向辺2a長さの略１／２の縦向辺3a長さを有する表紙３とを、各々の横向辺2b,3bの中央部で結合して製作される。図の例では、内紙２の表面2cに披露宴の出席者の氏名と座席配置を記載している。そして、内紙２の他の面、すなわち図に示す裏面2dには、披露宴会場の全景写真や披露宴用メニュー等が記載されている。また、表紙３には質感に富んだ幾分厚みのある洋紙を用いると、丈夫で見た目にも高級感のある結婚式用席次表１を実現することができる。さらに、表紙３にコート紙を用いると光沢感のある結婚式用席次表を実現できる。一方、表紙３として表面に凹凸感のある厚手の洋紙を用いると、質感に富んだ結婚式用席次表を実現することができる。表紙３と内紙２との結合は必要に応じて糊付け、又はストリングス若しくはステープラーにより行うことができる。糊付けにより結合する場合には、横向辺中央部の折り目４より幾分左右に寄せて糊付けをすると、結婚式用席次表１の開作業が容易になる。図１の例では折り目４よりも右側に寄せた位置を結合部５として糊付けしている。
【００１９】
次に、内紙２を折り目６に沿って二つに折り曲げると、図２の状態になる。ここで、折り目６は、内紙２の縦向辺2aを表紙３の上部横向辺3cの位置に合わせて設けられている。この状態では、内紙２の裏面上半部2dに印刷された披露宴会場の全景写真や披露宴のメニュー等が現われることになる。ここで、図２に示すように、内紙２を二つ折りにした後の下部横向辺2bと上部横向辺2eとの位置を一致させずに所定の間隔を設けると、そのスペースに「私たちの結婚式へようこそ」といった文言を記載することにより、出席者に謝意を伝えることができるので上品な結婚式用席次表１を実現することができる。
【００２０】
次に、図２の状態から横向辺中央部の折り目４に沿って左半部全体を矢印の方向に二つ折りにすると、図３に示すように、表紙３の左表面3dが現れる。この表紙左表面3dの中央部近傍には窓部となる穴７が設けられており、内紙２の裏面下半部2fに描かれた絵柄８が穴７から現れるようになっている。
【００２１】
次に図３の状態から表紙３を左側に開くと、図４に示す状態になり、右側のページには、内紙２の裏面下半部2fに印刷された記載情報が現れる。このようにして、質感豊かで、見た目にお洒落な結婚式用席次表１を実現することができる。
【００２２】
図５は他の実施例を示す結婚式用席次表１である。この実施例は、表紙３と内紙２との間に、前記表紙３とほぼ同一サイズを有する第２の内紙９を挿入して結合したものである。図５に示すように表紙３と２枚の内紙２,９の下部横向辺 2b,3b,9b を一致させて重ね、横向辺の中央部を糊付け又は結合金具10により結合した後、内紙２の縦向辺2aを表紙３の上部横向辺3cの位置に合わせた折り目６で二つに折り曲げる。その後、全体を横向辺中央部で二つ折りにすれば結婚式用席次表１は完成する。この実施例によれば、ページ数の多い結婚式用席次表を製作することができる。したがって、結婚式に関するより多くの情報を結婚式用席次表に記載することができる。
【００２３】
図６は上記図５において説明した結婚式用席次表１の表紙３と第２の内紙９の左半部を見開いた状態を示すものである。この例では、左ページの第２の内紙９に披露宴プログラムが記載され、右ページの内紙２に新郎新婦の紹介や新居の案内が記載されている。
【００２４】
以上、本考案に係る結婚式用席次表について説明したが、本考案は前記実施形態に限定されるものではなく、本考案の技術的思想の範囲内で種々の変形実施が可能である。たとえば、前記実施例では矩形の内紙として横長のものを用いて説明したが、縦長の内紙を用いることもできる。また、表紙や内紙の地色は白色に限定されることはなく、有彩色の紙を用いることもできる。
【図面の簡単な説明】
【００２５】
【図１】本考案に係る結婚式用席次表を開いた状態を示す正面図である。
【図２】本考案に係る結婚式用席次表の内紙の縦向辺を二つ折りにした後の状態を示    す正面図である。
【図３】本考案に係る結婚式用席次表を折り畳んだ後の表紙面を示す正面図である。
【図４】本考案に係る結婚式用席次表の表紙を開いた状態を示す斜視図である。
【図５】本考案に係る結婚式用席次表を開いた状態を示す正面図である。
【図６】本考案に係る結婚式用席次表の表紙を開いた状態を示す斜視図である。
【図７】従来例による結婚式用印刷物を示す斜視図である。
【符号の説明】
【００２６】
１  結婚式用席次表
２  内紙
３  表紙
５  横向辺中央部（結合部）
７  穴（窓部）
８  絵柄
９  第２の内紙
【図１】
0003102977.tif 000003
【図３】
0003102977.tif 000004
【図５】
0003102977.tif 000005
【図６】
0003102977.tif 000006
【図７】
0003102977.tif 000007
【図２】
0003102977.tif 000008
【図４】
0003102977.tif 000009